(57)【要約】【課題】全長に及んで動物の保護と装飾が図れるようにする。【解決手段】引き環１をクロス点Ｘに連結した１対のクロスベルト５１、５２が４方に延び左右で隣接し合う前後各１対の端部間２ａ、２ｂどうしと、１対の端部２ｃ、２ｄどうしを接続して８の字状とし、またその接続を解除できる雌雄接続具３、４を持った胴輪本体２と、胴輪本体２よりも広幅で胴輪本体２を外面に添わせて保持するＸ型の装飾帯５とを備え、胴輪本体２および装飾帯５の各端部対２ａと５ａ、２ｂと５ｂ、２ｃと５ｃ、２ｄと５ｄは、前記左右の対における少なくとも一方の端部どうしは互いにフリーな関係にあり、胴輪本体２の一方のクロスベルト５１は長さ調節部６を有したものとして、上記の目的を達成する。【選択図】  図４
2004290010.tif 000002
【特許請求の範囲】
【請求項１】
引き環をクロス点に連結した１対のクロスベルトがクロス点から４方に延びそれらの前後にて左右で隣接し合う前後各１対の端部間を接続して８の字状とし、またその接続を解除できる雌雄接続具を持った胴輪本体と、この胴輪本体よりも広幅で胴輪本体を外面に添わせて保持するＸ型の装飾帯とを備え、胴輪本体および装飾帯の各端部対は、前記左右における各対の少なくとも一方の端部どうしは互いにフリーな関係にあり、胴輪本体の一方のクロスベルトは長さ調節部を有していることを特徴とする胴輪。
【請求項２】
装飾帯は、左右端部間を打ち合わせ状態に接続し合う面ファスナを有している請求項１に記載の胴輪。
【請求項３】
装飾帯は、少なくとも裏面がウレタン繊維生地またはウレタン繊維混紡生地である請求項１、２のいずれか１項に記載の胴輪。
【発明の詳細な説明】
【０００１】
【産業上の利用分野】
本発明は動物の胴輪に関し、詳しくは、二重構造を有した動物の胴輪に関するものである。
【０００２】
【従来の技術】
胴輪ではないが、動物の首輪で動物の保護や装飾を目的として二重構造にしたものが既に知られている（例えば、特許文献１〜４参照。）。特許文献１、２に記載のものは、内側ベルトとこの内側ベルトの表に縫い付けられた表側ベルトとから構成された二重構造を有し、両端間の接続、接続解除の構造とその機能は、内側ベルトおよび外側ベルト双方が共有している。内側ベルトは摩擦や静電気発生の軽減を図り、クッション性を与えて動物を保護する。特許文献３に記載のものは、革製で両端間の接続、接続解除を図る接続部を有したベルト本体と、このベルト本体を通してその途中部分を覆う筒形状をした保護部材とで構成している。保護部材はナイロン製で動物に対してよりもベルト本体との摩擦係数が小さいことによって、保護部材は移動せず、ベルト本体が保護部材の中を良好に滑動できるようにする。これによって、ベルト本体と動物との摩擦を軽減することができる。特許文献４に記載のものは、両端に接続、接続解除を行なう接続具を持った首環の途中の表面に装飾布を面ファスナにて着脱できるように装着し、種々な装飾が図れるようにしている。
【０００３】
【特許文献１】
実開昭５６−９３１７０号公報
【０００４】
【特許文献２】
実用新案登録第３０６２７４６号公報
【０００５】
【特許文献３】
特開平１０−４２７３８号公報
【０００６】
【特許文献４】
実開昭６４−２０１７８号公報
【０００７】
【発明が解決しようとする課題】
しかし、上記特許文献１、２に記載のものは、内側ベルトにより動物保護の保護機能を付加しているが、内側ベルトは外側ベルトと１つのベルトを構成しているだけで、接続部は動物に接して擦れる。特許文献３に記載のものはベルト本体の途中に筒状の保護部材を被せているだけで、ベルト本体が接続部とその両側が露出したままで、この露出部分での保護が図れない。特許文献４に記載のものは首環の途中の表面に装飾布を面ファスナで取り付けただけで、動物に対する保護機能はなく、装飾も首環全長に及べないものである。
【０００８】
一方、８の字状に連なり犬などの動物の胴部と首部とに嵌め合わせて引き回しに用いる胴輪が、動物によりやさしいものとして普及しているなか、この胴輪にも動物の保護や装飾を目的とした二重構造を採用するのが好適である。
【０００９】
本発明の目的は、全長に及んで動物の保護と装飾が図れる胴輪を提供することにある。
【００１０】
【課題を解決するための手段】
上記のような目的を達成するために、本発明の胴輪は、引き環をクロス点に連結した１対のクロスベルトがクロス点から４方に延びそれらの前後にて左右で隣接し合う前後各１対の端部間を接続して８の字状とし、またその接続を解除できる雌雄接続具を持った胴輪本体と、この胴輪本体よりも広幅で胴輪本体を外面に添わせて保持するＸ型の装飾帯とを備え、胴輪本体および装飾帯の各端部対は、前記左右における各対の少なくとも一方の端部どうしは互いにフリーな関係にあり、胴輪本体の一方のクロスベルトは長さ調節部を有していることを特徴としている。
【００１１】
このような構成では、装飾帯はそのＸ型の外面に胴輪本体のクロス点から４方に延びる１対のクロスベルトを保持しながら、胴輪本体側の端部と対をなす相互がフリーな関係にある左右の一方の端部を、他の端部に打ち合わせることにより８の字状となって、胴輪本体の内側で胴輪本体に邪魔されないで前部では動物の首の全周に、後部では動物の胴の全周に巻き付けることができ、動物を胴輪本体のどの部分との接触および摩擦をも断って完全に保護することができる。胴輪本体は装飾帯の端部とフリーな関係にある端部によって装飾帯の左右端部どうしの打ち合わせ部の上に位置し胴輪本体の左右の端部どうしを接続して装飾帯上で動物の首および胴に巻き付けた８の字状とし、そのクロス点に連結している引き環に引き紐を連結して動物に胴輪本体を直接働かせることなく引き回すことができる。胴輪本体よりも広幅な装飾帯は自身の打ち合わせ部を持った特異な外観にて８の字状の胴輪本体の全周で胴輪本体からはみ出して外観されるので、胴輪本体と異なった装飾性を発揮する。また、胴輪本体をなす１対のクロスベルトの一方における長さ調節部による長さ調節が８の字状に連結された全体に及び、動物の首まわりや胴まわりの大きさの違いに対応することができる。
【００１２】
装飾帯が、左右端部間を打ち合わせ状態に接続し合う面ファスナを有している、さらなる構成では、
胴輪本体の内側での装飾帯の左右端部どうしが形成する打ち合わせ状態を面ファスナの接続によって安定させられ、胴輪本体の移動の影響で乱れるようなことを防止することができる。
【００１３】
装飾帯が、少なくとも裏面がウレタン繊維生地またはウレタン繊維混紡生地である、さらなる構成では、
装飾帯が移動して擦れるようなことがあっても、その擦れ面がウレタン繊維生地またはウレタン繊維混紡生地であることにより、動物の毛傷みや毛切れを防止することができる。
【００１４】
本発明のそれ以上の目的および特徴は、以下の詳細な説明および図面の記載によって明らかになる。本発明の各特徴は、それ単独で、あるいは可能な限りにおいて種々な組合せで複合して採用することができる。
【００１５】
【実施例】
本発明に係る胴輪の実施例について図１〜図７を参照しながら詳細に説明し、本発明の理解に供する。以下の説明は本発明の具体例であって、特許請求の範囲の記載の内容を限定するものではない。
【００１６】
本実施例の胴輪は図１、図４に示すように、引き環１を連結したクロス点Ｘから１対のクロスベルト５１、５２が４方に延び左右で隣接し合う前後各１対の端部２ａ、２ｂ間および２ｃ、２ｄ間を接続して図４に示すような８の字状とし、またその接続を解除できる２組の雌雄接続具３、４を持った胴輪本体２と、この胴輪本体２よりも広幅で胴輪本体２を外面に添わせて保持するＸ型の装飾帯５とを備えている。装飾帯５をなす１対のクロスベルト５１、５２は胴輪本体２の各端部２ａ、２ｂ、２ｃ、２ｄにほぼ対応するか、あるいははみ出し、あるいは引っ込んだ端部５ａ、５ｂ、５ｃ、５ｄを持つ長さを有し、胴輪本体２および装飾帯５の各端部対２ａ、５ａと、２ｂ、５ｂと、２ｃ、５ｃと、２ｄ、５ｄは、前記左右の対２ａ、５ａと２ｂ、５ｂ、および２ｃ、５ｃと２ｄ、５ｄにおける少なくとも左右一方の端部どうしは互いにフリーな関係にあり、１対のクロスベルト５１、５２の一方に長さ調節部６を有している。図示する例では全ての対の端部どうしがフリーな関係にある。
【００１７】
このような装飾帯５はそのＸ型の外面に１対のクロスベルト５１、５２がそのクロス点で引き環１と連結された胴輪本体２を、互いの中心をほぼ合わせて保持しながら、胴輪本体２の前部での端部２ａ、２ｂとフリーな関係にある左右の端部５ａ、５ｂの一方の端部、および胴輪本体２の後部での端部２ｃ、２ｄとフリーな関係にある左右の端部５ｃ、５ｄの一方の端部を、それぞれが左右に対応する他方の端部に打ち合わせることにより８の字状となる。これによって装飾帯５は、胴輪本体２の内側で胴輪本体２に邪魔されないで前部では図４、図５、図７に示すように動物の首の全周に、後部では図４、図６、図７に示すように動物の胴の全周に巻き付けることができ、動物を胴輪本体２のどの部分との接触および摩擦をも断って完全に保護することができる。胴輪本体２はその端部２ａ、２ｂ、２ｃ、２ｄの装飾帯５の端部５ａ、５ｂ、５ｃ、５ｄとフリーな関係にある端部によって、装飾帯５の前部での左右端部５ａ、５ｂどうし、後部での左右端部５ｃ、５ｄどうしの各打ち合わせ部１１、１２の上に位置して、胴輪本体２の前部における左右の端部２ａ、２ｂどうし、後部における左右の端部２ｃ、２ｄどうしを接続して装飾帯５上で動物の首および胴に巻き付けた８の字状とし、引き環１に図示しない引き紐を連結して動物を引き回すことができる。胴輪本体２よりも広幅な装飾帯５は自身の打ち合わせ部１１、１２を持った特異な外観にて８の字状の胴輪本体２の全周で胴輪本体２からはみ出して外観されるので、胴輪本体２と異なった装飾性を発揮する。また、胴輪本体２の１対のクロスベルト５１、５２の一方における長さ調節部６による長さ調節が８の字状に連結された全体に及び、動物の大きさに対応することができる。
【００１８】
胴輪本体２はどのような材質、構造のものでよい。図示する例の胴輪本体２は雌雄接続具３、４を前部の左右両端部２ａ、２ｂ、および後部の左右両端部２ｃ、２ｄに振り分け取り付けた接続構造を有している。この雌雄接続具３、４は長さ調節機能がないが、胴輪本体２に編み生地や組紐タイプの柔軟な素材を採用し、一方のクロスベルト５１において雄接続具４部で折り返した２つ折り部２ｅにて長さ調節部６を形成している。このため折り返し端２ｆを胴輪本体２の途中を通した滑り止め具１６に取り付け、この滑り止め具１６の胴輪本体２上での移動によって長さを調節するようにしている。もっとも、接続具がこれに対応する端部側の長手方向複数箇所に選択的に止め合わせたりするような長さ調節ができるタイプのものであれば、胴輪本体２自体には長さ調節部６を持つ必要はない。
【００１９】
装飾帯５は長さ調節部６の長さ調節機能を損なわないように、クロスベルト５１におけるクロス点Ｘの両側の途中二箇所を、装飾帯５に一縁側から他縁側にわたる保持片４３が形成する図１、図２、図３に示す袋部を通して保持し、さらに雄接続具４側の端部付近を装飾帯５の端部５ｂ付近に形成した２つの孔２３、２４に順次通して保持している。
【００２０】
他方のクロスベルト５２は装飾帯５との縫合部２０によって止着してあり、徒にふらついたり、位置ずれしたり、あるいは脱落するようなことを防止している。また、クロスベルト５１、５２のクロス部もそれらをクロス方向に対向し合う４つのスリット２１ａに通した合成樹脂などよりなる支持片２１によってクロス状態に連結し安定させるようにしている。また、この支持片２１の前記スリット２１ａの中央位置に設けた中央スリット２１ｂには、前記引き環１と連結し合った連結環２２を外面側から嵌め合わせ、この支持片２１の裏側に臨んだ連結環２２に前記クロスベルト５１、５２のクロス点Ｘを通して、引き環１と胴輪本体２のクロス点Ｘとの連結を図るのと同時に、クロスベルト５１、５２が支持片２１に対して不用意に滑らず、相互のクロス点Ｘがずれないようにしている。
【００２１】
装飾帯５は胴輪本体２との２重構造であること以外に、色や模様の違い、素材の違い、構造や形の違いによって特異な装飾性を発揮することができる。図示する例では、織生地を採用し縁に装飾帯５の本体生地と色の違う織生地によるパイピング部１７を設けてある。特に、装飾帯５を胴輪本体２に対し異形としてある。これにより、装飾帯５が胴輪本体２に対し異形である分だけ、目立って特異な装飾性を発揮することができるし、大きく張り出した部分を反射面として夜間の交通の安全を図ることもできる。また、動物の保護に目的を置いた形態、例えば動物の首周りや胴周りに図７に示すようにフィットし、胴輪本体２の移動や偏りによってもずれたり滑ったりしにくい形態が採れる。図示する例では、図１、図２に示すように装飾帯５のクロス方向に延びる各クロスベルト５１、５２は、引き環１のあるクロス点Ｘから少し離れた部分から先端５ａ、５ｂ、５ｃ、５ｄまで幅が胴輪本体２の２倍程度以上から３倍程度以上に増大した形態をなし、胴輪本体２に比して、特異な装飾部となっている。また、装飾帯５は胴輪本体２よりも広幅であるだけ動物との間の滑りを抑えられるし、犬などの動物の首まわりでの当たりによって回り止め片としても機能するので、胴輪本体２が動物の引き回しに際して装飾帯５上で回ったりするなど移動しても、装飾帯５はよく静止して動物との間で擦れが生じるようなことを確実に防止することができる。
【００２２】
装飾帯５が、前部の左右端部間５ａ、５ｂどうし、および後部の左右端部間５ｃ、５ｄどうしを打ち合わせ状態に接続し合う面ファスナ１３、１４、を有している。胴輪本体２の内側での装飾帯５の前後部の左右端部５ａ、５ｂどうし、５ｃ、５ｄどうしが形成する打ち合わせ状態を面ファスナ１３、１４の接続によって安定させられ、胴輪本体２の移動の影響で乱れるようなことを防止することができる。面ファスナ１３は合成樹脂製のフィラメントなどよりなるフックを密植したもので必須であるが、面ファスナ１４はループパイルを密植したもので、装飾帯５の表面がこれに代わる組成を有している場合は省略することができる。
【００２３】
装飾帯５が、少なくとも裏面がウレタン繊維生地またはウレタン繊維混紡生地で形成してある。これにより、装飾帯５が移動して擦れるようなことがあっても、その擦れ面がウレタン繊維生地またはウレタン繊維混紡生地であることにより、動物の毛傷みや毛切れを防止することができる。
【００２４】
また、場合によってウレタン繊維生地またはウレタン繊維混紡生地の外側にスポンジ類のクッション材を張り合わせた構造、クッション材をウレタン繊維生地またはウレタン繊維混紡生地でサンドイッチしたものなどを採用すると、引き回し時に動物に働く外力を緩和する保護が図れる。
【００２５】
【発明の効果】
本発明の胴輪によれば、装飾帯はそのＸ型の外面に胴輪本体のクロス点から４方に延びる１対のクロスベルトを保持しながら、胴輪本体側の端部と対をなす相互がフリーな関係にある左右の一方の端部を、他の端部に打ち合わせることにより８の字状となって、胴輪本体の内側で胴輪本体に邪魔されないで前部では動物の首の全周に、後部では動物の胴の全周に巻き付けることができ、動物を胴輪本体のどの部分との接触および摩擦をも断って完全に保護することができる。胴輪本体は装飾帯の端部とフリーな関係にある端部によって装飾帯の左右端部どうしの打ち合わせ部の上に位置し胴輪本体の左右の端部どうしを接続して装飾帯上で動物の首および胴に巻き付けた８の字状とし、そのクロス点に連結している引き環に引き紐を連結して動物に胴輪本体を直接働かせることなく引き回すことができる。胴輪本体よりも広幅な装飾帯は自身の打ち合わせ部を持った特異な外観にて８の字状の胴輪本体の全周で胴輪本体からはみ出して外観されるので、胴輪本体と異なった装飾性を発揮する。また、胴輪本体をなす１対のクロスベルトの一方における長さ調節部による長さ調節が８の字状に連結された全体に及び、動物の首まわりや胴まわりの大きさの違いに対応することができる。
【００２６】
装飾帯が、左右端部間を打ち合わせ状態に接続し合う面ファスナを有している、さらなる構成によれば、
胴輪本体の内側での装飾帯の左右端部どうしが形成する打ち合わせ状態を面ファスナの接続によって安定させられ、胴輪本体の移動の影響で乱れるようなことを防止することができる。
【００２７】
装飾帯が、少なくとも裏面がウレタン繊維生地またはウレタン繊維混紡生地である、さらなる構成によれば、
装飾帯が移動して擦れるようなことがあっても、その擦れ面がウレタン繊維生地またはウレタン繊維混紡生地であることにより、動物の毛傷みや毛切れを防止することができる。
【図面の簡単な説明】
【図１】本発明に係る実施例の胴輪の１つの例を示す平面図である。
【図２】図１の胴輪の背面図である。
【図３】図１の胴輪の断面図であり、その（ａ）は長さ調節部を持ったクロスベルト側の断面図、（ｂ）は長さ調節部を持たないクロスベルト側の断面図である。
【図４】図１の胴輪の斜視図である。
【図５】図１の胴輪の首部まわりへの装着状態を示す一部断面図である。
【図６】図１の胴輪の胴まわりへの装着状態を示す一部断面図である。
【図７】図１の胴輪の動物への装着状態を示す斜視図である。
【符号の説明】
Ｘ  クロス点
１  引き環
２  胴輪本体
２ａ、２ｂ、２ｃ、２ｄ  端部
３、４  雌雄接続具
５  装飾帯
５ａ、５ｂ、５ｃ、５ｄ  端部
１１、１２  打ち合わせ部
１３、１３  面ファスナ
４３  保持片
２０  縫合部
２３、２４  孔
５１、５２  クロスベルト
【図１】
2004290010.tif 000003
【図２】
2004290010.tif 000004
【図３】
2004290010.tif 000005
【図４】
2004290010.tif 000006
【図５】
2004290010.tif 000007
【図６】
2004290010.tif 000008
【図７】
2004290010.tif 000009